(57)【要約】【課題】ドライグリップ性能（乾燥路面でのグリップ性能）に優れたトレッド用ゴム組成物及び空気入りタイヤを提供する。【解決手段】少なくとも１種のスチレンブタジエン共重合体を含むゴム成分１００質量部に対して、カーボンブラックを１〜１００質量部、シリカを０〜１５０質量部含有するトレッド用ゴム組成物であって、アセトン抽出で得られる抽出成分及び該抽出成分にオゾン分解を施して得られるオゾン分解成分は、分子量５０以上２５００未満の範囲のそれぞれのピーク面積Ｈ１ａ及びＨ１ｂが下記式（１）、分子量２５００以上３００００以下の範囲のそれぞれのピーク面積Ｈ２ａ及びＨ２ｂが下記式（２）を満たすトレッド用ゴム組成物。１．０５≦Ｈ１ｂ／Ｈ１ａ≦１．７５        （１）０．２０≦Ｈ２ｂ／Ｈ２ａ≦０．７５        （２）【選択図】なし【特許請求の範囲】
【請求項１】
少なくとも１種のスチレンブタジエン共重合体を含むゴム成分１００質量部に対して、カーボンブラックを１〜１００質量部、シリカを０〜１５０質量部含有するトレッド用ゴム組成物であって、
アセトン抽出で得られる抽出成分及び該抽出成分にオゾン分解を施して得られるオゾン分解成分は、分子量５０以上２５００未満の範囲のそれぞれのピーク面積Ｈ１ａ及びＨ１ｂが下記式（１）、分子量２５００以上３００００以下の範囲のそれぞれのピーク面積Ｈ２ａ及びＨ２ｂが下記式（２）を満たすトレッド用ゴム組成物。
１．０５≦Ｈ１ｂ／Ｈ１ａ≦１．７５        （１）
０．２０≦Ｈ２ｂ／Ｈ２ａ≦０．７５        （２）
〔但し、下記（イ）〜（ハ）のトレッド用ゴム組成物を除く。
（イ）ゴム成分１００質量部に対し、ω−９脂肪酸アミドを０．１〜１０質量部含有するトレッド用ゴム組成物。
（ロ）ジエン系ゴムを７０〜９７質量％及びスチレン系熱可塑性エラストマーを３〜３０質量％含むトレッド用ゴム組成物。
（ハ）共役ジエン系重合体鎖（ａ１）と、変性剤（ａ２）との反応により得られる、３以上の前記共役ジエン系重合体鎖（ａ１）が前記変性剤（ａ２）を介して結合してなる構造体（ａ）を５質量％以上含み、
前記共役ジエン系重合体鎖（ａ１）が、一方の端にイソプレン単位を７０質量％以上含有するイソプレンブロックを有し、他方の端に活性末端を有し、
前記共役ジエン系重合体鎖（ａ１）における前記イソプレンブロック以外の部分のスチレン単位含有量が、３５〜４５質量％である
共役ジエン系ゴムを含むトレッド用ゴム組成物。〕
【請求項２】
スチレンブタジエン共重合体が乳化重合スチレンブタジエン共重合体である請求項１記載のトレッド用ゴム組成物。
【請求項３】
液状ポリマー及びレジンを含む請求項１又は２記載のトレッド用ゴム組成物。
【請求項４】
請求項１〜３のいずれかに記載のゴム組成物で構成されたトレッドを有する空気入りタイヤ。
【発明の詳細な説明】
【技術分野】
【０００１】
本発明は、トレッド用ゴム組成物及び空気入りタイヤに関する。
【背景技術】
【０００２】
近年、自動車及び自動二輪車においては、出力の向上により、高い次元での操縦安定性を求められることが増えてきたが、それに呼応して要求される乾燥路面での高いグリップ感を持つタイヤも求められている。
【０００３】
例えば、特許文献１には、所定のスチレン含量差を有する２種のスチレンブタジエン共重合体と、水素添加テルペン芳香族樹脂とを用いることで、グリップ性能等を改善したタイヤが開示されているが、前記のとおり、ドライグリップ性能の改善要求は大きく、更なる改善が望まれている。
【先行技術文献】
【特許文献】
【０００４】
【特許文献１】特開２０１７−１６０２９１号公報
【発明の概要】
【発明が解決しようとする課題】
【０００５】
本発明は、前記課題を解決し、ドライグリップ性能（乾燥路面でのグリップ性能）に優れたトレッド用ゴム組成物及び空気入りタイヤを提供することを目的とする。
【課題を解決するための手段】
【０００６】
本発明は、少なくとも１種のスチレンブタジエン共重合体を含むゴム成分１００質量部に対して、カーボンブラックを１〜１００質量部、シリカを０〜１５０質量部含有するトレッド用ゴム組成物であって、
アセトン抽出で得られる抽出成分及び該抽出成分にオゾン分解を施して得られるオゾン分解成分は、分子量５０以上２５００未満の範囲のそれぞれのピーク面積Ｈ１ａ及びＨ１ｂが下記式（１）、分子量２５００以上３００００以下の範囲のそれぞれのピーク面積Ｈ２ａ及びＨ２ｂが下記式（２）を満たすトレッド用ゴム組成物に関する。
１．０５≦Ｈ１ｂ／Ｈ１ａ≦１．７５        （１）
０．２０≦Ｈ２ｂ／Ｈ２ａ≦０．７５        （２）
【０００７】
前記スチレンブタジエン共重合体は、乳化重合スチレンブタジエン共重合体であることが好ましい。
前記ゴム組成物は、液状ポリマー及びレジンを含むことが好ましい。
【０００８】
本発明はまた、前記ゴム組成物で構成されたトレッドを有する空気入りタイヤに関する。
【発明の効果】
【０００９】
本発明によれば、少なくとも１種のスチレンブタジエン共重合体を含むゴム成分１００質量部に対して、カーボンブラックを１〜１００質量部、シリカを０〜１５０質量部含有し、かつ前記式（１）、（２）を満たすトレッド用ゴム組成物であるので、ドライグリップ性能（乾燥路面でのグリップ性能）を改善できる。
【発明を実施するための形態】
【００１０】
本発明のトレッド用ゴム組成物（加硫後のトレッド用ゴム組成物）は、少なくとも１種のスチレンブタジエン共重合体を含むゴム成分１００質量部に対して、カーボンブラックを１〜１００質量部、シリカを０〜１５０質量部含有し、かつアセトン抽出で得られる抽出成分及び該抽出成分にオゾン分解を施して得られるオゾン分解成分は、分子量５０以上２５００未満の範囲（ΔＭ１）のそれぞれのピーク面積Ｈ１ａ及びＨ１ｂが前記式（１）、分子量２５００以上３００００以下の範囲（ΔＭ２）のそれぞれのピーク面積Ｈ２ａ及びＨ２ｂが前記式（２）を満たす。
これにより、優れたドライグリップ性能を得ることができる。
【００１１】
例えば、液状ポリマーやレジンを用いることで、式（１）、（２）を満たすゴム組成物を提供できる。液状ポリマーやレジンを用いた場合、液状ポリマーはゴムの骨格であるポリマーと相溶して系を均一化させ、グリップ性能の上昇に寄与し、また、レジンはゴムに溶け込むことにより系のガラス転移温度を上昇させて、グリップ性能の上昇に寄与すると推察される。加えて、本発明者は、このような系全体の物性だけでなく、トレッド表面の粘着性も重要と考え、具体的には、ゴム自身の低分子量成分や、液状ポリマー、レジンなどの２重結合を持つ低分子成分は、ゴムと親和することで、ある程度ゴム中に留まりつつ、一部が表面に析出し、表面に粘着層を生じると考えた。そして、本発明は、例えば、そのような粘着層を形成する成分（液状ポリマー、レジン等）の理想的な配合量を特定することで、高度なグリップ力が発揮されると推測し、完成に至ったものである。このようなゴム組成物は式（１）、（２）を満たし、優れたドライグリップ性能を有している。
【００１２】
一方、液状ポリマー、レジンは共に高温での軟化しやすい材料であり、適量を超えて配合した場合、工程通過に懸念がある。また、液状ポリマーに関してはポリマー同様に架橋をし、引張特性の低下の懸念もある。これに対し、前記のとおり、液状ポリマー、レジンの配合量の適値を採用することで、そのような工程通過や引張特性の低下が防止されると推察される。従って、前記ゴム組成物は、優れた加工性も有するものと推察される。
【００１３】
ここで、前記式（１）、（２）を満足させる手法としては、（ａ）液状ポリマーを適量配合する方法、（ｂ）レジンを適量配合する方法、（ｃ）液状ポリマー、オイル等の軟化剤と、レジンとの合計量を適量に調整する方法、（ｄ）乳化重合ＳＢＲを適量配合する方法、（ｅ）カーボンブラック、シリカを適量配合する方法、等を単独又は適宜組み合わせる手法が挙げられる。
【００１４】
前記ゴム組成物（加硫後のゴム組成物）は、ドライグリップ性能、加工性の観点から、アセトン抽出で得られる抽出成分のΔＭ１の範囲のピーク面積Ｈ１ａ、該抽出成分にオゾン分解を施して得られるオゾン分解成分のΔＭ１の範囲のピーク面積Ｈ１ｂが、下記式（１）を満たす。
１．０５≦Ｈ１ｂ／Ｈ１ａ≦１．７５        （１）
Ｈ１ｂ／Ｈ１ａの下限は１．１０以上が好ましく、１．２０以上がより好ましく、１．３０以上が更に好ましい。上限は１．４５以下が好ましい。上記範囲内の場合、オゾン分解によるピーク面積の増加が少なく、良好なドライグリップ性能、加工性が得られる傾向がある。
【００１５】
前記ゴム組成物（加硫後のゴム組成物）は、ドライグリップ性能、加工性の観点から、アセトン抽出で得られる抽出成分のΔＭ２の範囲のピーク面積Ｈ２ａ、該抽出成分にオゾン分解を施して得られるオゾン分解成分のΔＭ２の範囲のピーク面積Ｈ２ｂが、下記式（２）を満たす。
０．２０≦Ｈ２ｂ／Ｈ２ａ≦０．７５        （２）
Ｈ２ｂ／Ｈ２ａの下限は０．３０以上が好ましく、０．４０以上がより好ましく、０．５０以上が更に好ましい。上限は０．６５以下が好ましく、０．５５以下がより好ましい。上記範囲内の場合、オゾン分解によるピーク面積の減少が少なく、良好なドライグリップ性能、加工性が得られる傾向がある。
【００１６】
なお、アセトン抽出は、ＪＩＳ  Ｋ  ６２２９：２０１５に準拠した方法により実施できる。オゾン分解は、例えば、高分子学会予稿集第２９巻第９号第２０５５頁に記載の方法によって実施できる。分子量の分布（ΔＭ１、ΔＭ２等の分子量分布）は、ゲルパーミエーションクロマトグラフ（ＧＰＣ）（溶離液：テトラヒドロフラン、検出器：示差屈折計、カラム：昭和電工（株）製のＳｈｏｄｅｘ ＫＦ−８０４Ｌを二本連結）により測定できる（標準ポリスチレン換算）。
【００１７】
前記ゴム組成物は、ゴム成分として、スチレンブタジエン共重合体（スチレンブタジエンゴム（ＳＢＲ））を含む。
ＳＢＲは、ドライグリップ性能、加工性の観点から、スチレン含有量が好ましくは１０．０質量％以上、より好ましくは１５．０質量％以上、更に好ましくは２０．０質量％以上である。上限は特に限定されないが、好ましくは５０．０質量％以下、より好ましくは４０．０質量％以下である。
なお、ＳＢＲのスチレン含有量は、１Ｈ−ＮＭＲ測定により算出される。
【００１８】
ゴム成分１００質量％中のＳＢＲの含有量は、ドライグリップ性能、加工性の観点から、好ましくは６０質量％以上、より好ましくは８０質量％以上、更に好ましくは９０質量％以上であり、１００質量％でもよい。
【００１９】
ＳＢＲとしては特に限定されず、例えば、乳化重合スチレンブタジエン重合体（乳化重合スチレンブタジエンゴム（Ｅ−ＳＢＲ））、溶液重合スチレンブタジエン共重合体（溶液重合スチレンブタジエンゴム（Ｓ−ＳＢＲ））等を使用できる。なかでも、ドライグリップ性能の観点から、Ｅ−ＳＢＲが好ましい。Ｅ−ＳＢＲは、Ｓ−ＳＢＲが含まない低分子量成分をポリマー骨格内に含んでいるため、骨格となるポリマーの種類という観点から、グリップ性能が改善されると推察される。ＳＢＲは、非変性ＳＢＲ、変性ＳＢＲのいずれでもよい。
【００２０】
変性ＳＢＲとしては、シリカ等の充填剤と相互作用する官能基を有するＳＢＲであればよく、例えば、ＳＢＲの少なくとも一方の末端を、上記官能基を有する化合物（変性剤）で変性された末端変性ＳＢＲ（末端に上記官能基を有する末端変性ＳＢＲ）や、主鎖に上記官能基を有する主鎖変性ＳＢＲや、主鎖及び末端に上記官能基を有する主鎖末端変性ＳＢＲ（例えば、主鎖に上記官能基を有し、少なくとも一方の末端を上記変性剤で変性された主鎖末端変性ＳＢＲ）や、分子中に２個以上のエポキシ基を有する多官能化合物により変性（カップリング）され、水酸基やエポキシ基が導入された末端変性ＳＢＲ等が挙げられる。
【００２１】
上記官能基としては、例えば、アミノ基、アミド基、シリル基、アルコキシシリル基、イソシアネート基、イミノ基、イミダゾール基、ウレア基、エーテル基、カルボニル基、オキシカルボニル基、メルカプト基、スルフィド基、ジスルフィド基、スルホニル基、スルフィニル基、チオカルボニル基、アンモニウム基、イミド基、ヒドラゾ基、アゾ基、ジアゾ基、カルボキシル基、ニトリル基、ピリジル基、アルコキシ基、水酸基、オキシ基、エポキシ基等が挙げられる。なお、これらの官能基は、置換基を有していてもよい。なかでも、アミノ基（好ましくはアミノ基が有する水素原子が炭素数１〜６のアルキル基に置換されたアミノ基）、アルコキシ基（好ましくは炭素数１〜６のアルコキシ基）、アルコキシシリル基（好ましくは炭素数１〜６のアルコキシシリル基）、アミド基が好ましい。
【００２２】
変性ＳＢＲとして、例えば、下記式で表される化合物（変性剤）により変性されたＳＢＲを好適に使用できる。
【化１】
2020076110.tif 000002
（式中、Ｒ１、Ｒ２及びＲ３は、同一又は異なって、アルキル基、アルコキシ基、シリルオキシ基、アセタール基、カルボキシル基（−ＣＯＯＨ）、メルカプト基（−ＳＨ）又はこれらの誘導体を表す。Ｒ４及びＲ５は、同一又は異なって、水素原子又はアルキル基を表す。Ｒ４及びＲ５は結合して窒素原子と共に環構造を形成してもよい。ｎは整数を表す。）
【００２３】
上記式で表される化合物（変性剤）により変性された変性ＳＢＲとしては、なかでも、溶液重合のスチレンブタジエンゴム（Ｓ−ＳＢＲ）の重合末端（活性末端）を上記式で表される化合物により変性されたＳＢＲ（特開２０１０−１１１７５３号公報に記載の変性ＳＢＲ等）が好適に用いられる。
【００２４】
Ｒ１、Ｒ２及びＲ３としてはアルコキシ基が好適である（好ましくは炭素数１〜８、より好ましくは炭素数１〜４のアルコキシ基）。Ｒ４及びＲ５としてはアルキル基（好ましくは炭素数１〜３のアルキル基）が好適である。ｎは、好ましくは１〜５、より好ましくは２〜４、更に好ましくは３である。また、Ｒ４及びＲ５が結合して窒素原子と共に環構造を形成する場合、４〜８員環であることが好ましい。なお、アルコキシ基には、シクロアルコキシ基（シクロヘキシルオキシ基等）、アリールオキシ基（フェノキシ基、ベンジルオキシ基等）も含まれる。
【００２５】
上記変性剤の具体例としては、２−ジメチルアミノエチルトリメトキシシラン、３−ジメチルアミノプロピルトリメトキシシラン、２−ジメチルアミノエチルトリエトキシシラン、３−ジメチルアミノプロピルトリエトキシシラン、２−ジエチルアミノエチルトリメトキシシラン、３−ジエチルアミノプロピルトリメトキシシラン、２−ジエチルアミノエチルトリエトキシシラン、３−ジエチルアミノプロピルトリエトキシシラン等が挙げられる。なかでも、３−ジメチルアミノプロピルトリメトキシシラン、３−ジメチルアミノプロピルトリエトキシシラン、３−ジエチルアミノプロピルトリメトキシシランが好ましい。これらは、単独で用いてもよく、２種以上を併用してもよい。
【００２６】
変性ＳＢＲとしては、以下の化合物（変性剤）により変性された変性ＳＢＲも好適に使用できる。変性剤としては、例えば、エチレングリコールジグリシジルエーテル、グリセリントリグリシジルエーテル、トリメチロールエタントリグリシジルエーテル、トリメチロールプロパントリグリシジルエーテル等の多価アルコールのポリグリシジルエーテル；ジグリシジル化ビスフェノールＡ等の２個以上のフェノール基を有する芳香族化合物のポリグリシジルエーテル；１，４−ジグリシジルベンゼン、１，３，５−トリグリシジルベンゼン、ポリエポキシ化液状ポリブタジエン等のポリエポキシ化合物；４，４’−ジグリシジル−ジフェニルメチルアミン、４，４’−ジグリシジル−ジベンジルメチルアミン等のエポキシ基含有３級アミン；ジグリシジルアニリン、Ｎ，Ｎ’−ジグリシジル−４−グリシジルオキシアニリン、ジグリシジルオルソトルイジン、テトラグリシジルメタキシレンジアミン、テトラグリシジルアミノジフェニルメタン、テトラグリシジル−ｐ−フェニレンジアミン、ジグリシジルアミノメチルシクロヘキサン、テトラグリシジル−１，３−ビスアミノメチルシクロヘキサン等のジグリシジルアミノ化合物；
【００２７】
ビス−（１−メチルプロピル）カルバミン酸クロリド、４−モルホリンカルボニルクロリド、１−ピロリジンカルボニルクロリド、Ｎ，Ｎ−ジメチルカルバミド酸クロリド、Ｎ，Ｎ−ジエチルカルバミド酸クロリド等のアミノ基含有酸クロリド；１，３−ビス−（グリシジルオキシプロピル）−テトラメチルジシロキサン、（３−グリシジルオキシプロピル）−ペンタメチルジシロキサン等のエポキシ基含有シラン化合物；
【００２８】
（トリメチルシリル）［３−（トリメトキシシリル）プロピル］スルフィド、（トリメチルシリル）［３−（トリエトキシシリル）プロピル］スルフィド、（トリメチルシリル）［３−（トリプロポキシシリル）プロピル］スルフィド、（トリメチルシリル）［３−（トリブトキシシリル）プロピル］スルフィド、（トリメチルシリル）［３−（メチルジメトキシシリル）プロピル］スルフィド、（トリメチルシリル）［３−（メチルジエトキシシリル）プロピル］スルフィド、（トリメチルシリル）［３−（メチルジプロポキシシリル）プロピル］スルフィド、（トリメチルシリル）［３−（メチルジブトキシシリル）プロピル］スルフィド等のスルフィド基含有シラン化合物；
【００２９】
エチレンイミン、プロピレンイミン等のＮ−置換アジリジン化合物；メチルトリエトキシシラン、Ｎ，Ｎ−ビス（トリメチルシリル）−３−アミノプロピルトリメトキシシラン、Ｎ，Ｎ−ビス（トリメチルシリル）−３−アミノプロピルトリエトキシシラン、Ｎ，Ｎ−ビス（トリメチルシリル）アミノエチルトリメトキシシラン、Ｎ，Ｎ−ビス（トリメチルシリル）アミノエチルトリエトキシシラン等のアルコキシシラン；４−Ｎ，Ｎ−ジメチルアミノベンゾフェノン、４−Ｎ，Ｎ−ジ−ｔ−ブチルアミノベンゾフェノン、４−Ｎ，Ｎ−ジフェニルアミノベンゾフェノン、４，４’−ビス（ジメチルアミノ）ベンゾフェノン、４，４’−ビス（ジエチルアミノ）ベンゾフェノン、４，４’−ビス（ジフェニルアミノ）ベンゾフェノン、Ｎ，Ｎ，Ｎ’，Ｎ’−ビス−（テトラエチルアミノ）ベンゾフェノン等のアミノ基及び／又は置換アミノ基を有する（チオ）ベンゾフェノン化合物；４−Ｎ，Ｎ−ジメチルアミノベンズアルデヒド、４−Ｎ，Ｎ−ジフェニルアミノベンズアルデヒド、４−Ｎ，Ｎ−ジビニルアミノベンズアルデヒド等のアミノ基及び／又は置換アミノ基を有するベンズアルデヒド化合物；Ｎ−メチル−２−ピロリドン、Ｎ−ビニル−２−ピロリドン、Ｎ−フェニル−２−ピロリドン、Ｎ−ｔ−ブチル−２−ピロリドン、Ｎ−メチル−５−メチル−２−ピロリドン等のＮ−置換ピロリドンＮ−メチル−２−ピペリドン、Ｎ−ビニル−２−ピペリドン、Ｎ−フェニル−２−ピペリドン等のＮ−置換ピペリドン；Ｎ−メチル−ε−カプロラクタム、Ｎ−フェニル−ε−カプロラクタム、Ｎ−メチル−ω−ラウリロラクタム、Ｎ−ビニル−ω−ラウリロラクタム、Ｎ−メチル−β−プロピオラクタム、Ｎ−フェニル−β−プロピオラクタム等のＮ−置換ラクタム類；の他、
【００３０】
Ｎ，Ｎ−ビス−（２，３−エポキシプロポキシ）−アニリン、４，４−メチレン−ビス−（Ｎ，Ｎ−グリシジルアニリン）、トリス−（２，３−エポキシプロピル）−１，３，５−トリアジン−２，４，６−トリオン類、Ｎ，Ｎ−ジエチルアセトアミド、Ｎ−メチルマレイミド、Ｎ，Ｎ−ジエチル尿素、１，３−ジメチルエチレン尿素、１，３−ジビニルエチレン尿素、１，３−ジエチル−２−イミダゾリジノン、１−メチル−３−エチル−２−イミダゾリジノン、４−Ｎ，Ｎ−ジメチルアミノアセトフェン、４−Ｎ，Ｎ−ジエチルアミノアセトフェノン、１，３−ビス（ジフェニルアミノ）−２−プロパノン、１，７−ビス（メチルエチルアミノ）−４−ヘプタノン等を挙げることができる。なかでも、アルコキシシランにより変性された変性ＳＢＲが好ましい。
なお、上記化合物（変性剤）による変性は公知の方法で実施可能である。
【００３１】
ＳＢＲとしては、例えば、ＺＳエラストマー（株）、ＪＳＲ（株）、旭化成（株）、日本ゼオン（株）等により製造・販売されているＳＢＲを使用できる。なお、ＳＢＲは、単独で用いてもよく、２種以上を組み合わせて用いてもよい。
【００３２】
前記ゴム組成物に用いるゴム成分は、ＳＢＲ以外の他のゴム成分を配合してもよい。他のゴム成分としては、例えば、イソプレン系ゴム（イソプレンゴム（ＩＲ）、エポキシ化イソプレンゴム、水素添加イソプレンゴム、グラフト化イソプレンゴム、天然ゴム（ＮＲ）、脱タンパク質天然ゴム（ＤＰＮＲ）、高純度天然ゴム（ＵＰＮＲ）、エポキシ化天然ゴム（ＥＮＲ）、水素添加天然ゴム（ＨＮＲ）、グラフト化天然ゴム）、ブタジエンゴム（ＢＲ）、スチレンイソプレンブタジエンゴム（ＳＩＢＲ）、クロロプレンゴム（ＣＲ）、アクリロニトリルブタジエンゴム（ＮＢＲ）等が挙げられる。これらは単独で用いてもよく、２種以上を組み合わせて用いてもよい。
【００３３】
前記ゴム組成物は、カーボンブラックを含む。これにより、良好なグリップ性能等が得られる。カーボンブラックとしては、特に限定されず、ＧＰＦ、ＦＥＦ、ＨＡＦ、ＩＳＡＦ、ＳＡＦなどが挙げられる。
【００３４】
カーボンブラックの含有量は、ゴム成分１００質量部に対して、１質量部以上、好ましくは３質量部以上、より好ましくは３０質量部以上、更に好ましくは５０質量部以上、特に好ましくは７０質量部以上である。下限以上にすることで、ドライグリップ性能が向上する傾向がある。また、該カーボンブラックの含有量は、１００質量部以下、好ましくは９５質量部以下、より好ましくは９０質量部以下である。上限以下にすることで、良好な加工性等が得られる傾向がある。
【００３５】
カーボンブラックのチッ素吸着比表面積（Ｎ２ＳＡ）は、５０ｍ２／ｇ以上が好ましく、８０ｍ２／ｇ以上がより好ましく、１１０ｍ２／ｇ以上が更に好ましい。下限以上にすることで、ドライグリップ性能が向上する傾向がある。また、カーボンブラックのＮ２ＳＡは、１５０ｍ２／ｇ以下が好ましく、１３０ｍ２／ｇ以下がより好ましい。上限以下にすることで、良好な加工性等が得られる傾向がある。
なお、カーボンブラックのＮ２ＳＡは、ＪＩＳ  Ｋ６２１７、７項のＡ法によって求められる。
【００３６】
カーボンブラックとしては、例えば、旭カーボン（株）、キャボットジャパン（株）、東海カーボン（株）、三菱化学（株）、ライオン（株）、新日化カーボン（株）、コロンビアカーボン社等の製品を使用できる。
【００３７】
前記ゴム組成物は、シリカを含有してもよい。シリカを用いることで、良好なグリップ性能等が得られる。
【００３８】
シリカを含む場合、ゴム成分１００質量部に対するシリカの含有量は、好ましくは１５０質量部以下、より好ましくは１００質量部以下、更に好ましくは９０質量部以下である。また、該シリカの含有量は、好ましくは０質量部以上、より好ましくは２０質量部以上、更に好ましくは５０質量部以上、特に好ましくは７０質量部以上である。上記範囲内にすることで、良好なグリップ性能が得られる傾向がある。
【００３９】
シリカの窒素吸着比表面積（Ｎ２ＳＡ）は、好ましくは４０ｍ２／ｇ以上、より好ましくは８０ｍ２／ｇ以上、更に好ましくは１００ｍ２／ｇ以上である。上記Ｎ２ＳＡは、好ましくは３００ｍ２／ｇ以下、より好ましくは２５０ｍ２／ｇ以下、更に好ましくは２００ｍ２／ｇ以下、特に好ましくは１８０ｍ２／ｇ以下である。上記範囲内にすることで、良好なグリップ性能が得られる傾向がある。
なお、シリカの窒素吸着比表面積は、ＡＳＴＭ  Ｄ３０３７−８１に準じてＢＥＴ法で測定される値である。
【００４０】
シリカとしては、例えば、乾式法シリカ（無水シリカ）、湿式法シリカ（含水シリカ）等が挙げられるが、シラノール基が多いという理由から、湿式法シリカが好ましい。
【００４１】
シリカとしては、例えば、デグッサ社、東ソー・シリカ（株）、ソルベイジャパン（株）、（株）トクヤマ等の製品を使用できる。
【００４２】
前記ゴム組成物は、カーボンブラック、シリカ以外の他の充填剤（補強性充填剤）を配合してもよい。他の充填剤としては特に限定されず、炭酸カルシウム、タルク、アルミナ、クレー、水酸化アルミニウム、酸化アルミニウム、マイカなどが挙げられる。
【００４３】
充填剤の含有量は、ゴム成分１００質量部に対して、好ましくは３０質量部以上、より好ましくは５０質量部以上、更に好ましくは７０質量部以上である。下限以上にすることで、ドライグリップ性能が向上する傾向がある。また、該充填剤の含有量は、好ましくは１５０質量部以下、より好ましくは１００質量部以下、更に好ましくは９０質量部以下である。上限以下にすることで、良好な加工性等が得られる傾向がある。
【００４４】
前記ゴム組成物がシリカを含む場合、更にシランカップリング剤を含むことが好ましい。これにより、良好な強度等が得られる傾向がある。
【００４５】
シランカップリング剤の含有量は、シリカ１００質量部に対して、好ましくは０．１質量部以上、より好ましくは２質量部以上、更に好ましくは３質量部以上、特に好ましくは５質量部以上である。また、該含有量は、好ましくは２０質量部以下、より好ましくは１６質量部以下、更に好ましくは１２質量部以下である。上記範囲内にすることで、良好なグリップ性能が得られる傾向がある。
【００４６】
シランカップリング剤としては、特に限定されず、例えば、ビス（３−トリエトキシシリルプロピル）テトラスルフィド、ビス（２−トリエトキシシリルエチル）テトラスルフィド、ビス（４−トリエトキシシリルブチル）テトラスルフィド、ビス（３−トリメトキシシリルプロピル）テトラスルフィド、ビス（２−トリメトキシシリルエチル）テトラスルフィド、ビス（２−トリエトキシシリルエチル）トリスルフィド、ビス（４−トリメトキシシリルブチル）トリスルフィド、ビス（３−トリエトキシシリルプロピル）ジスルフィド、ビス（２−トリエトキシシリルエチル）ジスルフィド、ビス（４−トリエトキシシリルブチル）ジスルフィド、ビス（３−トリメトキシシリルプロピル）ジスルフィド、ビス（２−トリメトキシシリルエチル）ジスルフィド、ビス（４−トリメトキシシリルブチル）ジスルフィド、３−トリメトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、３−トリエトキシシリルプロピルメタクリレートモノスルフィド、などのスルフィド系、３−メルカプトプロピルトリメトキシシラン、２−メルカプトエチルトリエトキシシラン、Ｍｏｍｅｎｔｉｖｅ社製のＮＸＴ、ＮＸＴ−Ｚなどのメルカプト系、ビニルトリエトキシシラン、ビニルトリメトキシシランなどのビニル系、３−アミノプロピルトリエトキシシラン、３−アミノプロピルトリメトキシシランなどのアミノ系、γ−グリシドキシプロピルトリエトキシシラン、γ−グリシドキシプロピルトリメトキシシラン、などのグリシドキシ系、３−ニトロプロピルトリメトキシシラン、３−ニトロプロピルトリエトキシシランなどのニトロ系、３−クロロプロピルトリメトキシシラン、３−クロロプロピルトリエトキシシランなどのクロロ系などがあげられる。これらは、単独で用いてもよく、２種以上を併用してもよい。なかでも、前記効果が良好に得られるという理由から、スルフィド系、メルカプト系が好ましい。
【００４７】
前記ゴム組成物は、ドライグリップ性能、加工性の観点から、軟化剤を配合することが好ましい。軟化剤とは、常温（２５℃）で液体状態の軟化作用を有する成分である。軟化剤としては特に限定されないが、液状ポリマー（液状ジエン系重合体）、オイルなどが挙げられる。これらは、１種を用いてもよいし、２種以上を併用してもよい。
【００４８】
軟化剤の含有量（合計含有量）は、ゴム成分１００質量部に対して、２質量部以上が好ましく、４質量部以上がより好ましい。下限以上にすることで、良好なドライグリップ性能が得られる傾向がある。また、該含有量は、４０質量部以下が好ましく、３５質量部以下がより好ましく、３０質量部以下が更に好ましい。上限以下にすることで、良好な加工性が得られる傾向がある。なお、本明細書において、軟化剤の含有量には、油展ゴムに含まれるオイルの量も含まれる。
【００４９】
軟化剤のなかでも、液状ポリマー、オイルが好ましく、ドライグリップ性能、加工性の観点から、液状ポリマー（液状ジエン系重合体）が特に好ましい。
【００５０】
上記液状ポリマーとは、常温（２５℃）で液体状態の重合体であり、例えば、液状ジエン系重合体等が挙げられる。
液状ジエン系重合体は、ゲルパーミエーションクロマトグラフィー（ＧＰＣ）で測定したポリスチレン換算の重量平均分子量（Ｍｗ）が、１．０×１０３〜２．０×１０５であることが好ましく、３．０×１０３〜１．５×１０４であることがより好ましい。
なお、本明細書において、液状ジエン系重合体のＭｗは、ゲルパーミエーションクロマトグラフィー（ＧＰＣ）で測定したポリスチレン換算値である。
【００５１】
液状ジエン系重合体としては、液状スチレンブタジエン共重合体（液状ＳＢＲ）、液状ブタジエン重合体（液状ＢＲ）、液状イソプレン重合体（液状ＩＲ）、液状スチレンイソプレン共重合体（液状ＳＩＲ）などが挙げられる。
【００５２】
液状ポリマー（液状ジエン系重合体）の含有量は、ゴム成分１００質量部に対して、１質量部以上が好ましく、３質量部以上がより好ましく、４質量部以上が更に好ましい。下限以上にすることで、良好なドライグリップ性能が得られる傾向がある。また、該含有量は、４０質量部以下が好ましく、３５質量部以下がより好ましく、３０質量部以下が更に好ましく、２７質量部以下が特に好ましい。上限以下にすることで、良好な加工性が得られる傾向がある。
【００５３】
上記オイルとしては、特に限定されず、パラフィン系プロセスオイル、アロマ系プロセスオイル、ナフテン系プロセスオイルなどのプロセスオイル、ＴＤＡＥ、ＭＥＳ等の低ＰＣＡ（多環式芳香族）プロセスオイル、植物油脂、及びこれらの混合物等、従来公知のオイルを使用できる。なかでも、ゴム物性の点では、アロマ系プロセスオイルが好ましい。
【００５４】
例えば、市販品として、出光興産（株）、三共油化工業（株）、（株）ジャパンエナジー、オリソイ社、Ｈ＆Ｒ社、豊国製油（株）、昭和シェル石油（株）、富士興産（株）等の製品を使用できる。これらは、単独で用いてもよく、２種以上を併用してもよい。
【００５５】
オイルの含有量は、加工性等の観点から、ゴム成分１００質量部に対して、好ましくは３０質量部以下、より好ましくは２０質量部以下、更に好ましくは１７質量部以下である。下限は特に限定されず、配合しなくてもよい（０質量部）。なお、本明細書において、オイルの含有量には、油展ゴムに含まれるオイルの量も含まれる。
【００５６】
前記ゴム組成物には、ドライグリップ性能、加工性の観点から、常温（２５℃）で固体状態のレジン（樹脂）を配合することが好ましい。
【００５７】
レジンの含有量（合計含有量）は、ゴム成分１００質量部に対して、１．０質量部以上が好ましく、３．０質量部以上がより好ましく、４．０質量部以上が更に好ましく、５．０質量部以上が特に好ましい。下限以上にすることで、良好なドライグリップ性能が得られる傾向がある。また、該含有量は、４０．０質量部以下が好ましく、３５．０質量部以下がより好ましく、３０．０質量部以下が更に好ましく、２７．０質量部以下が特に好ましい。上限以下にすることで、良好な加工性が得られる傾向がある。
【００５８】
レジンは、ドライグリップ性能、加工性の観点から、軟化点が１６０℃以下であることが好ましく、１５０℃以下がより好ましく、１３０℃以下が更に好ましい。上記レジンの軟化点は、５０℃以上が好ましく、６０℃以上がより好ましく、７０℃以上が更に好ましい。なお、本明細書において、軟化点は、ＪＩＳ  Ｋ  ６２２０−１：２００１に規定される軟化点を環球式軟化点測定装置で測定し、球が降下した温度である。
【００５９】
レジンとしては、例えば、芳香族ビニル重合体、クマロンインデン樹脂、インデン樹脂、ロジン系樹脂、テルペン系樹脂、アクリル系樹脂などが挙げられる。市販品としては、丸善石油化学（株）、住友ベークライト（株）、ヤスハラケミカル（株）、東ソー（株）、Ｒｕｔｇｅｒｓ  Ｃｈｅｍｉｃａｌｓ社、ＢＡＳＦ社、アリゾナケミカル社、日塗化学（株）、（株）日本触媒、ＪＸエネルギー（株）、荒川化学工業（株）、田岡化学工業（株）、東亞合成（株）等の製品を使用できる。これらは単独で用いてもよく、２種以上を組み合わせて用いてもよい。
【００６０】
上記芳香族ビニル重合体とは、α−メチルスチレン及び／又はスチレンを重合して得られる樹脂であり、スチレンの単独重合体、α−メチルスチレンの単独重合体、α−メチルスチレンとスチレンとの共重合体などが挙げられる。なかでも、α−メチルスチレンとスチレンとの共重合体が好ましい。
【００６１】
上記クマロンインデン樹脂とは、樹脂の骨格（主鎖）を構成する主なモノマー成分として、クマロン及びインデンを含む樹脂であり、クマロン、インデン以外に骨格に含まれるモノマー成分としては、スチレン、α−メチルスチレン、メチルインデン、ビニルトルエンなどが挙げられる。
【００６２】
上記インデン樹脂とは、樹脂の骨格（主鎖）を構成する主なモノマー成分として、インデンを含む樹脂である。
【００６３】
上記ロジン系樹脂（ロジン類）変性の有無によって分類可能であり、無変性ロジン（未変性ロジン）、ロジン変性体（ロジン誘導体）に分類できる。無変性ロジンとしては、トールロジン（別名トール油ロジン）、ガムロジン、ウッドロジン、不均斉化ロジン、重合ロジン、水素化ロジン、その他の化学的に修飾されたロジンなどが挙げられる。ロジン変性体は無変性ロジンの変性体であって、ロジンエステル類、不飽和カルボン酸変性ロジン類、不飽和カルボン酸変性ロジンエステル類、ロジンのアミド化合物、ロジンのアミン塩などが挙げられる。
【００６４】
ロジン系樹脂は、カルボキシル基の含有量が過度に高くなく、適度な酸価を有していることが好ましい。具体的には、ロジン系樹脂の酸価は、通常、０ｍｇＫＯＨ／ｇを超え、例えば、２００ｍｇＫＯＨ／ｇ以下、好ましくは１００ｍｇＫＯＨ／ｇ以下、より好ましくは３０ｍｇＫＯＨ／ｇ以下、さらに好ましくは１０ｍｇＫＯＨ／ｇ以下である。
なお、酸価は、後述する実施例に準拠して測定できる。なお、酸価が過度に高い場合などには、公知のエステル化処理によって、ロジン類のカルボキシル基を低減し、酸価を上記範囲に調整することも可能である。
【００６５】
上記テルペン系樹脂としては、テルペン化合物を重合して得られるポリテルペン樹脂や、テルペン化合物と芳香族化合物とを重合して得られる芳香族変性テルペン樹脂などを使用できる。また、これらの水素添加物を使用することもできる。
【００６６】
上記ポリテルペン樹脂は、テルペン化合物を重合して得られる樹脂である。該テルペン化合物は、（Ｃ５Ｈ８）ｎの組成で表される炭化水素及びその含酸素誘導体で、モノテルペン（Ｃ１０Ｈ１６）、セスキテルペン（Ｃ１５Ｈ２４）、ジテルペン（Ｃ２０Ｈ３２）などに分類されるテルペンを基本骨格とする化合物であり、例えば、α−ピネン、β−ピネン、ジペンテン、リモネン、ミルセン、アロオシメン、オシメン、α−フェランドレン、α−テルピネン、γ−テルピネン、テルピノレン、１，８−シネオール、１，４−シネオール、α−テルピネオール、β−テルピネオール、γ−テルピネオールなどが挙げられる。
【００６７】
上記ポリテルペン樹脂としては、上述したテルペン化合物を原料とするピネン樹脂、リモネン樹脂、ジペンテン樹脂、ピネン／リモネン樹脂などが挙げられる。なかでも、重合反応が容易である点、天然松脂が原料のため、安価であるという点から、ピネン樹脂が好ましい。ピネン樹脂は、通常、異性体の関係にあるα−ピネン及びβ−ピネンの両方を含んでいるが、含有する成分の違いにより、β−ピネンを主成分とするβ−ピネン樹脂と、α−ピネンを主成分とするα−ピネン樹脂とに分類される。
【００６８】
上記芳香族変性テルペン樹脂としては、上記テルペン化合物及びフェノール系化合物を原料とするテルペンフェノール樹脂や、上記テルペン化合物及びスチレン系化合物を原料とするテルペンスチレン樹脂などが挙げられる。また、上記テルペン化合物、フェノール系化合物及びスチレン系化合物を原料とするテルペンフェノールスチレン樹脂を使用することもできる。なお、フェノール系化合物としては、例えば、フェノール、ビスフェノールＡ、クレゾール、キシレノールなどが挙げられる。また、スチレン系化合物としては、スチレン、α−メチルスチレンなどが挙げられる。
【００６９】
なかでも、ドライグリップ性能、加工性の観点から、テルペン系樹脂が好ましく、芳香族変性テルペン樹脂が特に好ましい。また、テルペン系樹脂の軟化点は７０〜１５０℃が好ましい。下限は８０℃以上がより好ましく、上限は１４５℃以下がより好ましい。上記範囲内にすることで、良好なドライグリップ性能が得られる傾向がある。
【００７０】
テルペン系樹脂（芳香族変性テルペン樹脂）の含有量は、ゴム成分１００質量部に対して、１．０質量部以上が好ましく、３．０質量部以上がより好ましく、４．０質量部以上が更に好ましく、５．０質量部以上が特に好ましい。下限以上にすることで、良好なドライグリップ性能が得られる傾向がある。また、該含有量は、４０．０質量部以下が好ましく、３５．０質量部以下がより好ましく、３０．０質量部以下が更に好ましく、２７．０質量部以下が特に好ましい。上限以下にすることで、良好な加工性が得られる傾向がある。
【００７１】
軟化剤及びレジンの合計含有量は、ゴム成分１００質量部に対して、１０質量部以上が好ましく、２０質量部以上がより好ましく、２５質量部以上が更に好ましい。下限以上にすることで、良好なドライグリップ性能が得られる傾向がある。また、該合計含有量は、６０質量部以下が好ましく、５０質量部以下がより好ましく、４０質量部以下が更に好ましい。上限以下にすることで、良好な工程通過性が得られ、優れた加工性が得られる傾向がある。なお、軟化剤として液状ポリマー（液状ジエン系重合体）を含むものを用い、レジンとしてテルペン系樹脂（芳香族変性テルペン樹脂）を含むものを用いる場合も、同様の範囲が好適である。
【００７２】
前記ゴム組成物は、硫黄（硫黄加硫剤）を含むことが好ましい。
硫黄としては、ゴム工業において一般的に用いられる粉末硫黄、沈降硫黄、コロイド硫黄、不溶性硫黄、高分散性硫黄、可溶性硫黄などが挙げられる。市販品としては、鶴見化学工業（株）、軽井沢硫黄（株）、四国化成工業（株）、フレクシス社、日本乾溜工業（株）、細井化学工業（株）等の製品を使用できる。これらは、単独で用いてもよく、２種以上を併用してもよい。
【００７３】
ゴム成分１００質量部に対する前記硫黄（硫黄加硫剤）の含有量は、好ましくは１．０質量部以上、より好ましくは２．０質量部以上、更に好ましくは２．２質量部以上である。下限以上にすることで、良好なドライグリップ性能が得られる傾向がある。上限は特に限定されないが、好ましくは５．０質量部以下、より好ましくは４．０質量部以下、更に好ましくは３．５質量部以下である。
【００７４】
前記ゴム組成物は、加硫促進剤を含むことが好ましい。
加硫促進剤としては、例えば、２−メルカプトベンゾチアゾール、ジ−２−ベンゾチアゾリルジスルフィド（ＤＭ（２，２’−ジベンゾチアゾリルジスルフィド））、Ｎ−シクロヘキシル−２−ベンゾチアジルスルフェンアミド等のチアゾール系加硫促進剤；テトラメチルチウラムジスルフィド（ＴＭＴＤ）、テトラベンジルチウラムジスルフィド（ＴＢｚＴＤ）、テトラキス（２−エチルヘキシル）チウラムジスルフィド（ＴＯＴ−Ｎ）等のチウラム系加硫促進剤；Ｎ−シクロヘキシル−２−ベンゾチアゾールスルフェンアミド、Ｎ−ｔ−ブチル−２−ベンゾチアゾリルスルフェンアミド、Ｎ−オキシエチレン−２−ベンゾチアゾールスルフェンアミド、Ｎ−オキシエチレン−２−ベンゾチアゾールスルフェンアミド、Ｎ，Ｎ’−ジイソプロピル−２−ベンゾチアゾールスルフェンアミド等のスルフェンアミド系加硫促進剤；ジフェニルグアニジン、ジオルトトリルグアニジン、オルトトリルビグアニジン等のグアニジン系加硫促進剤を挙げることができる。これらは、単独で用いてもよく、２種以上を併用してもよい。なかでも、スルフェンアミド系、チアゾール系加硫促進剤が好ましい。
【００７５】
加硫促進剤の含有量は、ゴム成分１００質量部に対して、加硫特性等の観点から、好ましくは０．５質量部以上、より好ましくは０．７質量部以上である。また、上記含有量は、工程通過性の観点から、好ましくは５．０質量部以下、より好ましくは２．５質量部以下、更に好ましくは２．０質量部以下である。上記数値範囲内であると、良好なドライグリップ性能、加工性が得られる傾向がある。
【００７６】
前記ゴム組成物は、ワックスを含んでもよい。
ワックスとしては、特に限定されず、パラフィンワックス、マイクロクリスタリンワックス等の石油系ワックス；植物系ワックス、動物系ワックス等の天然系ワックス；エチレン、プロピレン等の重合物等の合成ワックス等が挙げられる。市販品として、大内新興化学工業（株）、日本精蝋（株）、精工化学（株）等の製品を使用できる。これらは、単独で用いてもよく、２種以上を併用してもよい。なかでも、石油系ワックスが好ましく、パラフィンワックスがより好ましい。
【００７７】
ワックスの含有量は、ゴム成分１００質量部に対して、好ましくは０．５質量部以上、より好ましくは１質量部以上であり、また、好ましくは１０質量部以下、より好ましくは６質量部以下である。
【００７８】
前記ゴム組成物は、老化防止剤を含有することが好ましい。
老化防止剤としては特に限定されず、例えば、フェニル−α−ナフチルアミン等のナフチルアミン系老化防止剤；オクチル化ジフェニルアミン、４，４’−ビス（α，α’−ジメチルベンジル）ジフェニルアミン等のジフェニルアミン系老化防止剤；Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ，Ｎ’−ジ−２−ナフチル−ｐ−フェニレンジアミン等のｐ−フェニレンジアミン系老化防止剤；２，２，４−トリメチル−１，２−ジヒドロキノリンの重合物等のキノリン系老化防止剤；２，６−ジ−ｔ−ブチル−４−メチルフェノール、スチレン化フェノール等のモノフェノール系老化防止剤；テトラキス−［メチレン−３−（３’，５’−ジ−ｔ−ブチル−４’−ヒドロキシフェニル）プロピオネート］メタン等のビス、トリス、ポリフェノール系老化防止剤などが挙げられる。市販品としては、精工化学（株）、住友化学（株）、大内新興化学工業（株）、フレクシス社等の製品を使用できる。これらは単独で用いてもよいし、２種類以上を組み合わせて用いてもよい。なかでも、ｐ−フェニレンジアミン系老化防止剤（より好ましくは、Ｎ−（１，３−ジメチルブチル）−Ｎ’−フェニル−ｐ−フェニレンジアミン）が好ましい。
【００７９】
老化防止剤の含有量は、ゴム成分１００質量部に対して、好ましくは１．０質量部以上、より好ましくは３．０質量部以上である。また、好ましくは７．０質量部以下、より好ましくは６．０質量部以下である。
【００８０】
前記ゴム組成物は、脂肪酸、特にステアリン酸を含むことが好ましい。
ステアリン酸としては、従来公知のものを使用でき、例えば、日油（株）、ＮＯＦ社、花王（株）、富士フイルム和光純薬（株）、千葉脂肪酸（株）等の製品を使用できる。
【００８１】
脂肪酸の含有量は、ゴム成分１００質量部に対して、好ましくは０．５質量部以上、より好ましくは１．０質量部以上である。また、上記含有量は、好ましくは１０．０質量部以下、より好ましくは５．０質量部以下である。
【００８２】
前記ゴム組成物は、酸化亜鉛を含むことが好ましい。
酸化亜鉛としては、従来公知のものを使用でき、例えば、三井金属鉱業（株）、東邦亜鉛（株）、ハクスイテック（株）、正同化学工業（株）、堺化学工業（株）等の製品を使用できる。
【００８３】
酸化亜鉛の含有量は、ゴム成分１００質量部に対して、好ましくは０．５質量部以上、より好ましくは１．０質量部以上である。また、上記含有量は、好ましくは５．０質量部以下、より好ましくは３．０質量部以下である。
【００８４】
前記ゴム組成物には、前記成分の他、タイヤ工業において一般的に用いられている添加剤を配合でき、加工助剤、界面活性剤等を例示できる。
【００８５】
トレッド用ゴム組成物（加硫後のトレッド用ゴム組成物）の製造方法としては、公知の方法を用いることができ、例えば、前記各成分をオープンロール、バンバリーミキサー、ニーダーなどのゴム混練装置を用いて混練し、その後加硫する方法などにより製造できる。
【００８６】
混練条件としては、架橋剤（加硫剤）及び加硫促進剤以外の添加剤を混練するベース練り工程では、混練排出温度は、通常１００〜１８０℃、好ましくは１２０〜１７０℃である。加硫剤、加硫促進剤を混練する仕上げ練り工程では、混練温度は、通常１２０℃以下、好ましくは８５〜１１０℃である。また、加硫剤、加硫促進剤を混練した組成物は、通常、プレス加硫などの加硫処理が施される。加硫温度としては、通常１４０〜１９０℃、好ましくは１５０〜１８５℃である。
【００８７】
本発明の空気入りタイヤは、上記ゴム組成物を用いて通常の方法で製造される。すなわち、上記成分を配合したゴム組成物を、未加硫の段階でトレッド（単層トレッド、多層トレッドのキャップトレッド等の路面に接触する部材）等の形状にあわせて押出し加工し、他のタイヤ部材とともに、タイヤ成型機上にて通常の方法で成形することにより、未加硫タイヤを形成する。この未加硫タイヤを加硫機中で加熱加圧することによりタイヤを得る。
【００８８】
前記タイヤは、乗用車用タイヤ、大型乗用車用、大型ＳＵＶ用タイヤ、トラック、バスなどの重荷重用タイヤ、ライトトラック用タイヤ、二輪自動車用タイヤ、レース用タイヤ（高性能タイヤ）などに使用可能である。
【実施例】
【００８９】
実施例に基づいて、本発明を具体的に説明するが、本発明はこれらのみに限定されるものではない。
【００９０】
実施例及び比較例で使用した各種薬品について、まとめて説明する。
Ｅ−ＳＢＲ：ＪＳＲ（株）製のＳＢＲ１５０２（Ｅ−ＳＢＲ、スチレン含有量２３．５質量％）
カーボンブラック：三菱化学（株）製のダイヤブラックＮ２２０（Ｎ２ＳＡ１１４ｍ２／ｇ）
シリカ：デグッサ社製のＵＬＴＲＡＳＩＬ  ＶＮ３（Ｎ２ＳＡ１７５ｍ２／ｇ）
シランカップリング剤：デグッサ社製のＳｉ７５
酸化亜鉛：三井金属鉱業（株）製の酸化亜鉛
ステアリン酸：日油（株）製のつばき
老化防止剤：大内新興化学工業（株）製のノクラック６Ｃ（Ｎ−（１，３−ジメチルブチル）−Ｎ’−フェニル−ｐ−フェニレンジアミン）
オイル：（株）ジャパンエナジー製のプロセスオイルＮＣ３００ＳＮ
液状ジエン系重合体１：サートマー社製のＲＩＣＯＮ１００（液状ＳＢＲ、スチレン含有量２５質量％、Ｍｗ４５００）
液状ジエン系重合体２：クラレ社製のＬ−ＳＢＲ−８２０（液状ＳＢＲ、スチレン含有量２０質量％、Ｍｗ８５００）
レジン１：ヤスハラケミカル社製のＹＳレジンＴＯ１２５（芳香族変性テルペン樹脂、軟化点１２５℃）
レジン２：ヤスハラケミカル社製のＹＳレジンＴＯ１１５（芳香族変性テルペン樹脂、軟化点１１５℃）
硫黄：鶴見化学（株）製の粉末硫黄
加硫促進剤：大内新興化学工業（株）製のノクセラーＮＳ（Ｎ−ｔｅｒｔ−ブチル−２−ベンゾチアゾリルスルフェンアミド）
【００９１】
（実施例及び比較例）
表１に示す配合処方にしたがい、（株）神戸製鋼所製の１．７Ｌバンバリーミキサーを用いて、硫黄及び加硫促進剤以外の薬品を１５０℃排出の条件下で５分間混練りし、混練り物を得た。次に、得られた混練り物に硫黄及び加硫促進剤を添加し、オープンロールを用いて、８０℃の条件下で５分間練り込み、未加硫ゴム組成物を得た。
得られた未加硫ゴム組成物をトレッドの形状に成形し、他のタイヤ部材とともに貼り合わせて未加硫タイヤを作製し、１７０℃の条件下で１０分間プレス加硫して試験用タイヤ（サイズ：１９５／６５Ｒ１５）を得た。
【００９２】
得られた試験用タイヤ、未加硫ゴム組成物を用いて、下記により評価した。結果を表１、２に示す。なお、表１の基準比較例は比較例１−１、表２の基準比較例は比較例２−１である。
【００９３】
＜アセトン抽出・オゾン分解＞
上記試験用タイヤ（新品）のトレッドから切り出したゴム試験片（加硫後のトレッド用ゴム組成物）について、ＪＩＳ  Ｋ  ６２２９：２０１５に準拠してアセトン抽出を実施した。得られた抽出成分について、ゲルパーミエーションクロマトグラフ（ＧＰＣ）（溶離液：テトラヒドロフラン、検出器：示差屈折計、カラム：昭和電工（株）製のＳｈｏｄｅｘ  ＫＦ−８０４Ｌを二本連結）を用いて分子量の分布を測定した（標準ポリスチレン換算）。
更に、前記抽出成分に高分子学会予稿集第２９巻第９号第２０５５頁に記載の方法によってオゾン分解を施して得られたオゾン分解成分についても、同様に分子量の分布を測定した。
得られた新品の抽出成分の測定結果を用いて、ΔＭ１の範囲のピーク面積Ｈ１ａ、ΔＭ２のピーク面積Ｈ２ａを測定し、また、オゾン分解成分の測定結果を用いて、ΔＭ１の範囲のピーク面積Ｈ１ｂ、ΔＭ２のピーク面積Ｈ２ｂを求めた。得られたＨ１ａ、Ｈ１ｂ、Ｈ２ａ、Ｈ２ｂを用いて、Ｈ１ｂ／Ｈ１ａ、Ｈ２ｂ／Ｈ２ａを算出した。
【００９４】
＜ドライグリップ性能＞
試験用タイヤを車両（国産ＦＦ２０００ｃｃ）の全輪に装着し、ドライアスファルト路面のテストコースにて実車走行を行った。発進、加速、コーナリング時における操舵コントロールの安定性をテストドライバーがフィーリング評価した。フィーリング評価は、基準比較例を１００とし、明らかに性能が向上したとテストドライバーが判断したものを１１０、これまでに全く見られなかった良好なレベルであるものを１２０とする評点付けで総合点として、指数表示をした。数値が大きいほど乾燥路面におけるグリップ性能が優れることを示す。
【００９５】
＜加工性（工程通過性）＞
得られた未加硫ゴム組成物をロール練りし、その際のロールとの密着性を評価した。評価は、基準比較例を１００とし、明らかに加工性が劣るものを９５、加工できないものを９０、逆に明らかに加工性が向上したものを１０５として、各配合を指数表示した（加工性指数）。指数が大きいほど、加工性（ロール密着性）に優れることを示す。
【００９６】
【表１】
2020076110.tif 000003
【００９７】
【表２】
2020076110.tif 000004
【００９８】
表１、２より、ＳＢＲ／カーボンブラック配合、ＳＢＲ／シリカ配合とも、前記式（１）、（２）を満たす実施例では、優れたドライグリップ性能が得られた。また、加工性（工程通過性）にも優れていた。